(57)【要約】【課題】  カラーラインセンサと白黒ラインセンサとを備え、異なるパラメータに基づいて原稿画像を読み取る場合に、コピー開始を指示してから１枚目の出力までの時間を短縮した画像読取装置及びその制御方法を提供する。【解決手段】  原稿画像の読み取りに先だって、前記白黒ラインセンサにより原稿画像を読み取る白黒読取モードか前記カラーラインセンサにより原稿画像を読み取るカラー読取モードかを予測し、前記原稿画像の読み取りの開始前に、予測された読取モードに対応する前記パラメータに基づいた原稿画像の読み取り準備を完了する。かかる構成により、ジョブ開始時におけるユーザの色設定に関する色モードの切り替えに伴うタイムロスが低減しＦＣＯＴが向上する。【選択図】    図６
2010130111.tif 000002
【特許請求の範囲】
【請求項１】
カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、
原稿画像の読取開始指示に先だって、前記白黒ラインセンサにより原稿画像を読み取る白黒読取モードか前記カラーラインセンサにより原稿画像を読み取るカラー読取モードかを予測する予測手段と、
前記原稿画像の読取開始指示を待つことなく、前記予測手段により予測された読取モードに対応する前記パラメータに基づいた前記カラーラインセンサまたは前記白黒ラインセンサの読み取り準備を開始する読取準備手段とを有することを特徴とする画像読取装置。
【請求項２】
前記異なるパラメータは、原稿画像を読み取る速度を含むことを特徴とする請求項１に記載の画像読取装置。
【請求項３】
前記異なるパラメータは、読み取られた原稿画像に対応する画像データの転送用クロックの周波数を含むことを特徴とする請求項１または２に記載の画像読取装置。
【請求項４】
前記予測手段は、前記画像読取装置の動作ジョブの設定に応答して読取モードの予測を開始することを特徴とする請求項１に記載の画像読取装置。
【請求項５】
前記予測手段は、前記画像読取装置への原稿のセットに応答して読取モードの予測を開始することを特徴とする請求項１または４に記載の画像読取装置。
【請求項６】
前記予測手段は、デフォルトの読取モードを、開始される読み取りの読取モードとして予測することを特徴とする請求項１乃至５のいずれか１項に記載の画像読取装置。
【請求項７】
前記予測手段は、前記画像読取装置の動作ジョブの種類に対応づけて記憶された読取モードを、開始される読取モードとして予測することを特徴とする請求項１乃至５のいずれか１項に記載の画像読取装置。
【請求項８】
前記予測手段は、前記画像読取装置の動作ジョブがファクシミリジョブである場合、または、前記画像読取装置の動作ジョブがコピージョブであり、且つ前記画像読取装置に接続された画像形成装置が白黒用画像形成装置である場合、または、前記画像読取装置の動作ジョブがスキャンジョブであり、且つ白黒の読み取り履歴の枚数がカラーの読み取り履歴の枚数より多い場合に、白黒読取モードと予測することを特徴とする請求項７に記載の画像読取装置。
【請求項９】
前記予測手段は、前記画像読取装置の動作ジョブがコピージョブであり、且つ前記画像読取装置に接続された画像形成装置がカラー用画像形成装置である場合、または、前記画像読取装置の動作ジョブがスキャンジョブであり、且つカラーの読み取り履歴の枚数が白黒の読み取り履歴の枚数より多い場合に、カラー読取モードと予測することを特徴とする請求項７に記載の画像読取装置。
【請求項１０】
前記画像読取装置の起動時にカラー及び白黒の画像読取用の調整を行う調整手段と、
前記画像読取装置の起動時に前記予測手段により予測された読取モードに対応して、前記カラー及び白黒の画像読取用の調整の順序を変更する変更手段とをさらに有することを特徴とする請求項１に記載の画像読取装置。
【請求項１１】
前記画像読取装置の読取モードを指示する外部装置と接続しており、
原稿画像の読取開始指示に先だって、前記外部装置が指示する読取モードを受信する受信手段を有し、
前記予測手段は、前記受信手段が原稿画像の読取開始指示に先だって受信した読取モードに対応して、前記白黒ラインセンサにより原稿画像を読み取る白黒読取モードか前記カラーラインセンサにより原稿画像を読み取るカラー読取モードかを予測することを特徴とする請求項１に記載の画像読取装置。
【請求項１２】
請求項１乃至１１のいずれか１項に記載の画像読取装置と、
前記画像読取装置が読み取った画像を記録媒体に形成する画像形成装置とを備えることを特徴とする画像処理装置。
【請求項１３】
カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、
前記画像読取装置の動作ジョブがコピージョブであり、且つ前記画像読取装置に接続された画像形成装置が白黒用画像形成装置である場合、前記原稿画像の読取開始指示を待つことなく前記白黒ラインセンサの読み取り準備を開始し、前記画像読取装置の動作ジョブがコピージョブであり、且つ前記画像読取装置に接続された画像形成装置がカラー用画像形成装置である場合、前記原稿画像の読取開始指示を待つことなく前記カラーラインセンサの読み取り準備を開始するようデフォルト設定された読取準備手段を有することを特徴とする画像読取装置。
【請求項１４】
カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置の制御方法であって、
原稿画像の読取開始指示に先だって、前記白黒ラインセンサにより原稿画像を読み取る白黒読取モードか前記カラーラインセンサにより原稿画像を読み取るカラー読取モードかを予測する予測工程と、
前記原稿画像の読取開始指示を待つことなく、前記予測工程で予測された読取モードに対応する前記パラメータに基づいた前記カラーラインセンサまたは前記白黒ラインセンサの読み取り準備を開始する読取準備工程とを有することを特徴とする画像読取装置の制御方法。
【請求項１５】
請求項１４記載の画像読取装置の制御方法の各工程をコンピュータに実行させるためのプログラム。
【請求項１６】
請求項１５に記載のプログラムを記憶した、コンピュータで読み取り可能な記憶媒体。
【発明の詳細な説明】
【技術分野】
【０００１】
本発明は、画像読取装置及びその制御方法に関するものである。
【背景技術】
【０００２】
従来、読取原稿の画像情報をデジタルデータに変換し、プリンタ等の画像形成装置やネットワークに接続されたコンピュータ等のストレージデバイスに出力する複合機におけるスキャナ等の画像読取装置が広く用いられている。最近では、画像読取処理における生産性が高い装置がユーザニーズとして取り上げられる傾向がある。さらに、ＦＣＯＴ（First Copy Output Time)、すなわち、読取開始指示から１枚目の出力までの時間、が短い装置が、スペックとして重要視される傾向も出てきている。
【０００３】
従来の画像読取装置では、白黒画像の原稿やフルカラー画像の原稿など読取の際に色モード毎の画像読取クロックを設定する構成をもつものがある。色モードに応じた画像読取クロックを設定、例えば白黒モードでは画像読取クロックを高速に設定して高速読取を実現することで、白黒モードでの生産性を高くしているものがある。例えば特許文献１によれば、プレスキャンを実施して色モードを判断した上で、本スキャンでフルカラーモード用と白黒モード用にそれぞれ異なる画像読取用クロックの設定を行っている。
【０００４】
また、読取速度や画像転送速度については、白黒モード及びフルカラーモードともに一定となっており、プレスキャンは実施しない構成をもつ画像読取装置がある。この画像読取装置では、白黒画像かフルカラー画像かの色モードの判断、及び文字部の抽出や絵としての画像データ部の抽出等の画像処理は実施するものの、読み取られた原稿画像について白黒画像かフルカラー画像か意識することなく同一の処理をさせている。
【０００５】
一方で、画像読取処理の生産性を高くしたいというユーザのニーズがあることを考慮して、白黒モードでは高速に読取動作を実施し、フルカラーモードでは高画質の読取動作を実施するというスペックが、ユーザニーズとして取り上げられる傾向がある。このユーザニーズを考慮した画像読取のために、１ラインの白黒ラインセンサと３ラインのカラーラインセンサ（ＲＧＢ）の計４ラインのラインセンサ構成をもつ画像読取装置がある。例えば特許文献２には、フルカラーモードと白黒モードとの画像読取装置のクロックの設定に関して記述されている。
【特許文献１】特開平８−２５１３５５公報
【特許文献２】特開２００３−２７４１１５公報
【発明の開示】
【発明が解決しようとする課題】
【０００６】
しかしながら、特許文献１によれば、カラーモード用と白黒モード用とに各々のクロック設定を選択して設定するようになっているが、画像読取用の本スキャンの前に色モードを検知させることを目的としたプレスキャンを実施している。そして、白黒モード及びフルカラーモードの各色モードに応じて画像クロックを切り替えている。この場合、各色モードに応じた読取制御は最適にできるが、ＦＣＯＴを短くするという観点では、色モード特定のために余分なプレスキャンを実施していることから、読取終了するまでに時間がかかってしまうという問題がある。
【０００７】
また、特許文献２によれば、白黒モードでは白黒ラインセンサで高速に読み取り、フルカラーモードではカラーラインセンサで高画質に読み取るように、各色モードについての画像クロックの設定に関して記述されている。しかしながら、どちらのセンサを使用するのかの判断方法や各センサ使用のための設定タイミングをどうするか等については言及していない。
【０００８】
各センサを効率的に使用するためには、各センサのために適切な画像転送用クロックの設定が必要となる。ＦＣＯＴを短くしていくためには、時間にして0.1秒程度の時間であったとしても大きく影響してくる。従って、ジョブ開始を指示した後に画像転送用クロックの切替や設定を実施すると、画像転送用クロックの切替に要する時間も大きく関係してくるため、ＦＣＯＴを短くするための障害にもなりかねないという問題がある。
【０００９】
本発明は、上記問題点に鑑み、カラーラインセンサと白黒ラインセンサとを備え、異なるパラメータに基づいて原稿画像を読み取る場合に、コピー開始を指示してから１枚目の出力までの時間を短縮した画像読取装置及びその制御方法を提供する。
【課題を解決するための手段】
【００１０】
前記目的を達成するために、本発明の画像読取装置は、カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、原稿画像の読取開始指示に先だって、前記白黒ラインセンサにより原稿画像を読み取る白黒読取モードか前記カラーラインセンサにより原稿画像を読み取るカラー読取モードかを予測する予測手段と、前記原稿画像の読取開始指示を待つことなく、前記予測手段により予測された読取モードに対応する前記パラメータに基づいた前記カラーラインセンサまたは前記白黒ラインセンサの読み取り準備を開始する読取準備手段とを有することを特徴とする。
【００１１】
また、本発明の画像読取装置は、カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、前記画像読取装置の動作ジョブがコピージョブであり、且つ前記画像読取装置に接続された画像形成装置が白黒用画像形成装置である場合、前記原稿画像の読取開始指示を待つことなく前記白黒ラインセンサの読み取り準備を開始し、前記画像読取装置の動作ジョブがコピージョブであり、且つ前記画像読取装置に接続された画像形成装置がカラー用画像形成装置である場合、前記原稿画像の読取開始指示を待つことなく前記カラーラインセンサの読み取り準備を開始するようデフォルト設定された読取準備手段を有することを特徴とする。
【００１２】
また、本発明の画像読取装置の制御方法は、カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置の制御方法であって、原稿画像の読取開始指示に先だって、前記白黒ラインセンサにより原稿画像を読み取る白黒読取モードか前記カラーラインセンサにより原稿画像を読み取るカラー読取モードかを予測する予測工程と、前記原稿画像の読取開始指示を待つことなく、前記予測手段により予測された読取モードに対応する前記パラメータに基づいた前記カラーラインセンサまたは前記白黒ラインセンサの読み取り準備を開始する読取準備工程とを有することを特徴とする。
【００１３】
更に、上記画像読取装置の制御方法の各工程をコンピュータに実行させるためのプログラム、及び該プログラムを記憶した、コンピュータで読み取り可能な記憶媒体を提供する。
【発明の効果】
【００１４】
以上、本発明によれば、カラーラインセンサと白黒ラインセンサとを備え、異なるパラメータに基づいて原稿画像を読み取る場合に、コピー開始を指示してから１枚目の出力までの時間を短縮した画像読取装置及びその制御方法を提供できる。
【００１５】
すなわち、ジョブ開始前のユーザの操作部からのキー入力タイミング、または自動原稿給紙装置へ原稿が積載されたタイミングで、いずれのラインセンサを使用するかを予測して画像転送用クロックの切替制御を実施する。従って、ジョブ開始後に画像転送用クロックの切替に伴う時間を費やすことなく、コピー開始を指示してから１枚目の出力までの時間を短縮できる。
【００１６】
また、ネットワークを介したホストコンピュータによるリモートスキャンにおいても、読取開始前に読取モードをホストコンピュータから画像読取装置に対して通知して画像転送用クロックの切替制御を実施する。従って、ジョブ開始後に画像転送用クロックの切替に伴う時間を費やすことなく、コピー開始を指示してから１枚目の出力までの時間を短縮できる。
【発明を実施するための最良の形態】
【００１７】
以下、本発明の一実施形態を、添付図面に従って詳細に説明する。
【００１８】
＜本実施形態の画像読取装置の構成例＞
図１は、本実施形態の画像読取装置の構成例を模式的に示す断面図である。
【００１９】
本実施形態の画像読取装置１０００は、画像読取部２００、自動原稿給紙部（以下、ＡＤＦ）１００、及び図１には図示しないコントローラ部から構成されている。
【００２０】
（自動原稿給紙部（ＡＤＦ）１００の構成例）
ＡＤＦ１００の動作について、図１を参照しながら説明する。図１に示すＡＤＦ１００は、１枚以上の原稿シートで構成される原稿束Ｓを積載する原稿トレイ３０と、原稿の搬送開始前に、原稿束Ｓが原稿トレイ３０より突出して下流への進出を規制する分離パッド２１と、給紙ローラ１とを有する。給紙ローラ１は、原稿トレイ３０に積載された原稿束Ｓの原稿面に落下し、回転する。これにより、原稿束の最上面の原稿が給紙される。給紙ローラ１によって給送された原稿は、分離ローラ２と分離パッド２１の作用によって１枚に分離される。この分離は周知のリタード分離技術によって実現されている。
【００２１】
分離ローラ２と分離パッド２１によって分離された原稿は、搬送ローラ対３により、レジストローラ４へ搬送され、レジストローラ４に原稿を突き当てられる。これにより、原稿はループ状に形成され、原稿の搬送における斜行が解消される。レジストローラ４の下流側には、レジストローラ４を通過した原稿を流し読みガラス２０１方向へ搬送する給紙パスが配置されている。
【００２２】
給紙パスに送られた原稿は、大ローラ７及び給送ローラ５によりプラテン上に送られる。ここで、大ローラ７は、流し読みガラス２０１に接触する。大ローラ７により給送された原稿は、搬送ローラ６を通過し、ローラ１６と移動ガラスの間を移動して、排紙フラッパ及び排紙ローラ８を介して原稿排紙トレイ３１へ排出される。
【００２３】
図１のＡＤＦ１００は、反転両面することで原稿の裏面画像を読み取るタイプであり、排紙ローラ８に原稿を噛ませた状態で、排紙ローラ８を逆転させて排紙フラッパを切り替えることにより、反転パス１９へ原稿を移動させる。移動した原稿を反転パス１９からレジストローラ４へ突き当て、再度原稿がループ状に形成されることによって、原稿の搬送における斜行を解消する。その後、給送ローラ５及び大ローラ７により、再び原稿を流し読みガラス２０１へ移動させることで、原稿の裏面を流し読みガラス２０１で読み取ることが可能である。
【００２４】
また、原稿トレイ３０には、積載された原稿束の副走査方向にスライド可能なガイド規制板１５が設けられているとともに、このガイド規制板に連動して原稿幅を検出する原稿幅検知センサ（図示せず）が設けられている。上記原稿幅検知センサとレジ前センサ１１との組み合わせにより、原稿トレイ３０上に積載された原稿束の原稿サイズが判別可能となる。また、搬送パス内に設けられた原稿長検知センサ（図示せず）により、搬送中の原稿の先端検知から後端検知までの搬送距離から原稿長を検出することも可能である。また、検知した原稿長と上記原稿幅検知センサとの組み合わせからも、原稿サイズが判別可能である。
【００２５】
（画像読取部２００の構成例）
画像読取部２００は、原稿台ガラス２０２上の原稿については、光学スキャナユニット２０９が図１の矢印に示す副走査方向に走査することで、原稿に記録された画像情報を光学的に読み取る。また、ＡＤＦ１００上の原稿については、原稿トレイ３０上の原稿を一枚ずつ読取中心位置へ原稿を搬送する。さらに、光学スキャナユニット２０９をＡＤＦ１００の大ローラ７の読取中心位置に来るように移動し、大ローラ７の読取中心位置で原稿を読み取る。ＡＤＦ１００上の原稿、又は原稿台ガラス２０２上の原稿は、次の光学系で読み取られる。この光学系は、流し読みガラス２０１、原稿台ガラス２０２、ランプ２０３とミラー２０４を有するスキャナユニット２０９、ミラー２０５及び２０６、レンズ２０７、ＣＣＤセンサユニット２１０を備える。読み取られた画像情報を光電変換して、図１には図示しないコントローラ部に画像データとして入力する。また、白板２１９は、シェーディングによる白レベルの基準データを作成するための白板である。
【００２６】
本実施形態では、ＣＣＤセンサユニット２１０は、以下に図５で示すように、カラー画像読取用（ＲＧＢ）ＣＣＤ（３ラインセンサユニット）２１２、白黒画像読取用ＣＣＤ（１ラインセンサユニット）２１１で構成される。原稿がカラー画像の場合には、カラー画像読取用（ＲＧＢ）ＣＣＤ２１２で読み取ると、画像再現性の豊かな画像に読み取ることが可能である。また、白黒画像読取用ＣＣＤ２１１で読み取ると、白黒画像読取用ＣＣＤ２１１の特性に応じて読取処理の生産性（読取速度）を上げて読むことが可能である。
【００２７】
＜本実施形態の画像読取装置の制御部の構成例＞
図２Ａは、本実施形態の画像読取装置の制御部の構成例を示すブロック図である。
【００２８】
（ＡＤＦ１００の制御ブロック）
ＡＤＦ１００の制御ブロックは、中央演算処理部である制御手段（以下、ＣＰＵ）３００、リードオンリーメモリ（以下、ＲＯＭ）３０１、ランダムアクセスメモリ（以下、ＲＡＭ）３０２、出力ポート、及び、入力ポートを備えている。ＲＯＭ３０１には、制御用プログラムや固定パラメータが格納されており、ＲＡＭ３０２には、入力データや作業用データが格納されている。
【００２９】
出力ポートには、各種搬送用のローラを駆動するモータ３０３、ソレノイド３０６、クラッチ３０７が接続されており、入力ポートには、図示しない各種センサ３０４がそれぞれ接続されている。
【００３０】
ＣＰＵ３００は、バスラインを介して接続されたＲＯＭ３０１に格納された制御プログラムにしたがって、紙搬送を制御する。ＣＰＵ３００は、画像読取部２００の中央演算処理部（ＣＰＵ）３２１と制御用通信線３５１を介してシリアル通信を行い、画像読取部２００との間で制御データの授受を行うようになっている。また、原稿画像データの先端の基準となる画先信号も制御用通信線３５１を通して画像読取部２００に通知される。
【００３１】
（画像読取部２００の制御ブロック）
画像読取部２００の制御ブロックにおいて、３２１がＣＰＵであり、画像読取部２００の制御をすべて行っている。ＣＰＵ３２１にはプログラムを格納するＲＯＭ３２２、ワーク領域を提供するＲＡＭ３２３が接続される。なお、ＲＡＭ３２３は不揮発性の記憶を行う領域も含むワーク領域を示している。また、ＲＡＭ３２３とは別にディスクなどの大容量の外部記憶部を備え、プログラムを外部記憶部からＲＡＭ３２３にロードしてＣＰＵ３２１で実行する構成でもよい。
【００３２】
３２６は光学系モータドライブ部であり、光学系駆動モータを駆動させるためのドライバ回路である。画像読取部２００には、ランプ２０３、ＣＣＤセンサユニット２１０（表面画像用の白黒画像読取用ＣＣＤ２１１／表面画像用のカラー画像読取用ＣＣＤ２１２）が接続されている。ＣＰＵ３２１は、光学系モータドライバ部３２６を制御し、画像処理部３２５を介してＣＣＤセンサユニット２１０を制御することで画像読取処理を実施している。
【００３３】
紙搬送を実現するために、ＣＰＵ３２１はＡＤＦ１００の紙搬送制御用のＣＰＵ３００に制御用通信線３５１を介して紙搬送制御についてのコマンドを送って指示する。指示されたＣＰＵ３００が、搬送パス上に設置されている各センサ３０４をモニタし、負荷である搬送用のモータ３０３、ソレノイド３０６、クラッチ３０７を駆動することで、紙搬送を実現している。このように、ＣＰＵ３２１はＡＤＦ１００による紙搬送と、画像読取部２００による画像読取制御を行っている。３２４は紙間補正を行う紙間補正処理部である。
【００３４】
レンズ２０７でＣＣＤセンサユニット２１０（カラー画像読取用（ＲＧＢ）ＣＣＤ２１２、白黒画像読取用ＣＣＤ２１１のいずれか）上に結像された画像信号は、デジタル画像データに変換される。変換された画像データは、さらに画像処理部３２５でシェーディングをはじめとして、画像データ上のスジ画像等を検知して補正するための各種画像処理が実施されて、画像メモリ部３２９に書き込まれる。
【００３５】
画像メモリ部３２９に書き込まれたデータは順次、画像転送用クロック信号線を含むコントローラ・インタフェースの画像通信線３５３を通してコントローラ部４００へ送信される。さらに、原稿画像データの先端の基準となる画先信号は、ＣＰＵ３２１でタイミングを調整して、コントローラ・インタフェースの制御通信線３５２を通してコントローラ部４００へ通知される。ＡＤＦ１００からの通信ラインで通知される画先信号についても、同様に画像読取部２００のＣＰＵ３２１でタイミングを調整して、コントローラ・インタフェースの制御通信線３５２を通してコントローラ部４００へ通知される。
【００３６】
ＣＰＵ３２１が制御バスライン上に接続された画像処理部３２５を制御する。さらに、ＣＰＵ３２１は、画像処理部３２５を介して制御用通信線３５４から制御信号をＣＣＤセンサユニット２１０に伝達することで、ＣＣＤセンサユニット２１０を制御する。ＣＣＤセンサユニット２１０で原稿画像を走査する過程で、カラー画像読取用ＣＣＤ２１２あるいは白黒画像読取用ＣＣＤ２１１により読み取られる。そして、読み取られた１ラインごとのアナログの画像信号が、画像転送用クロック信号線を含む画像データ通信線２１４あるいは２１５からＣＣＤ制御部２１３に出力される。
【００３７】
ＣＣＤ制御部２１３でアナログ信号がデジタル画像データに変換され、画像転送用クロック信号線を含む画像データ情報通信線３５５から画像メモリ部３２９を経由して、コントローラ部４００へ送信される。
【００３８】
（コントローラ部４００の制御ブロック）
画像処理用のコントローラ部４００は、画像読取部２００、自動原稿給紙部１００を含む画像読取装置１０００の全体を制御する装置である。コントローラ部４００は、制御部４０１、変倍回転等の回転変倍回路４０２、補正回路４０３、画像メモリ４０４、操作部４０５を有している。
【００３９】
画像データ情報通信線３５５から画像メモリ部３２９を経由して、コントローラ部４００へ送信された画像データは、変倍回転等の回転変倍回路４０２により画像制御をされた後、補正回路４０３へ送信される。そして、補正回路４０３は画像データに対して補正処理を行い、画像メモリ部４０４に書き込む。以上の処理が原稿画像領域の画像データに対して実施されて、原稿の読取画像が生成される。
【００４０】
＜本実施形態において使用されるデータ例＞
図２Ｂは、本実施形態で画像読取部２００のＲＡＭ３２３に記憶されて、画像転送用クロックの切り替えや設定に使用されるデータの例を示す図である。なお、図２Ｂには本実施形態に特有なデータのみを示し、汎用データは示していない。
【００４１】
図２Ｂで、３２３ａは、操作部４０５において"リモート"が選択されていることを、ＰＵＬＬスキャンジョブの開始と予測するフラグとして記憶する領域である。３２３ｂは、操作部４０５において"送信／ファックス"が選択されていることを、ＦＡＸジョブの開始と予測するフラグとして記憶する領域である。３２３ｃは、操作部４０５において"コピー"が選択されていることを、コピージョブの開始と予測するフラグとして記憶する領域である。３２３ｄは、操作部４０５において"ボックス"が選択されていることを、ＰＵＳＨスキャンジョブの開始と予測するフラグとして記憶する領域である。
【００４２】
３２３ｅは、優先度の高いデフォルトモードが設定されているか否か、設定されている場合のデフォルトモードがカラー読取モードか白黒読取モードかを記憶する領域である（図９参照）。３２３ｆは、画像読取の動作回数（スキャンカウント）を今までの総カウント、過去１００回の中でのカウントを、カラーと白黒に分けて記憶するスキャンカウンタの領域である。３２３ｇは、ＡＤＦ１００に原稿がセットされたか否かの検知結果を記憶する領域である。
【００４３】
３２３ｈは、本実施形態で画像読取の前に色指定モードがカラー読取モードか白黒読取モードかを予測した結果を記憶する領域である。３２３ｉは、コントローラ部４００の走査部４０５、あるいは外部のホストコンピュータで指定された色指定モードを記憶する領域である。３２３ｊは、今設定されている色指定モードを記憶する領域である。
【００４４】
３２３ｋは、図４Ｂで後述するＣＣＤ制御部２１３に設定して、画像転送用クロックの周波数を色指定モードに対応して制御するためのパラメータであるＣＣＤ制御部レジスタ値を記憶する領域である。
【００４５】
＜ＣＣＤセンサユニット２１０の構成例＞
図３は、ＣＣＤセンサユニット２１０の構成例を示す図である。
【００４６】
図３に示すように、ＣＣＤセンサユニット２１０（白黒画像読取用ＣＣＤ２１１及びカラー画像読取用ＣＣＤ２１２）を使用して画像を読み取ることが可能である。白黒画像読取用ＣＣＤ２１１は１ラインのラインセンサからなり、カラー画像読取用ＣＣＤ２１２はＲＧＢ用の３ラインのラインセンサからなる。
【００４７】
本実施形態では、このよに設定の異なる白黒画像読取用ＤＣＣ２１１及びカラー画像読取用ＣＣＤ２１２を制御するために、ＣＰＵ３２１からの画像処理部３２５を介して、ＣＣＤセンサユニット２１０を制御するようにしている。画像処理部３２５からＣＣＤセンサユニット２１０に対しては、実際にはＣＣＤセンサユニット２１０内部にあるＣＣＤ制御部２１３を介して、白黒画像読取用ＣＣＤ２１１とカラー画像読取用ＣＣＤ２１２を制御する。
【００４８】
＜本実施形態の読取画像の転送例＞
以下、本実施形態に関連する処理である、画像読取部２００からコントローラ部４００への画像転送について、詳細に説明する。
【００４９】
（本実施形態の色モード切り替えの概略）
上記の説明での画像転送に使用される画像転送用クロックは、図４Ａに示すように、カラー画像用あるいは白黒画像用とで周波数が異なるように設定される。白黒画像の高速読取のため、または、フルカラー画像の高画質読取のために、カラー画像用に対して白黒画像用の画像転送用クロックの周波数が大きくなるように設定している。
【００５０】
ＣＣＤセンサユニット２１０からの画像データの出力の際、画像転送用クロックを白黒画像読取用ＣＣＤ２１１用とフルカラー画像読取用ＣＣＤ２１２用にそれぞれ持つ。そこで、各センサを使用する際に、ＣＣＤセンサユニット２１０に既に設定されている画像転送用クロックの設定内容に対して設定が異なる場合には、各センサ用に設定を切り替える必要がある。
【００５１】
図４Ｂに、ＣＣＤ制御部２１３のレジスタマップの一例を示す。このＣＣＤ制御部２１３のレジスタは、ＣＣＤ制御部２１３の動作詳細について設定するためのものである。このレジスタの設定に基づき、ＣＣＤ制御部２１３が白黒用ＣＣＤおよびカラー用ＣＣＤを駆動させることになる。ＣＣＤ制御部２１３の動作詳細設定で、以下で説明する画像転送用クロックについては、信号区間設定や信号出力のＯＮ／ＯＦＦ区間の設定等についての設定となる。また、その他にも、基本的なＣＣＤ駆動のＯＮ／ＯＦＦ切替設定、ＣＣＤ制御の主走査区間長範囲設定、白黒用ＣＣＤ／カラー用ＣＣＤの選択設定等、ＣＣＤ制御についての一連の制御用の詳細設定することによりＣＣＤが駆動することになる。
【００５２】
ＣＣＤ制御部２１３は、図４Ｂの例に示すように、画像転送用クロック設定に関連するレジスタに設定された値に対応した画像転送用クロックで動作する。また、このレジスタマップにあるように、白黒モードとカラーモードとでは複数のレジスタアドレスに渡り設定が異なる。各色モードに応じた設定値がレジスタへ設定されて初めて画像転送用クロックの切替が可能となる。こうして、設定の切替が必要な際にＣＰＵ部３２１からＣＣＤセンサユニットを制御して画像転送用クロックの切替設定する。
【００５３】
ここで、これらのレジスタにアクセスする場合には、
(1) ＣＰＵ部３２１からアドレスバス／データバスを配線して、高速なバスクロックに同期してＣＣＤ制御部２１３のレジスタへ設定する。
(2) シリアル転送によりＣＣＤ制御部２１３のレジスタのアドレスおよびデータを順次転送して設定する。
の２通りが想定できる。
【００５４】
(1)の場合、高速なバスクロックに同期してＣＣＤ制御部２１３のレジスタに対して高速に設定が可能である。データとしては、データバスの幅に準ずるが、１アドレス分のデータを１回のバスクロック周期で転送することができる。一方、(2)の場合、シリアル通信のため、図４Ｃに示すように、シリアル転送クロック１７００に同期して、１ｂｉｔずつＣＣＤ制御部２１３に対して送信することになる。また、送信するデータ量もレジスタへのリードアクセス（１７０１）とレジスタへのライトアクセス（１７０２）ともに、モード（リード／ライト）とアドレスとデータと転送設定に関する制御情報を順次送信することになる。そのため、(1)のアドレスバス／データバスによる転送に比較すると、大幅に時間がかかることになる。
【００５５】
しかし、(1)の場合には、制御信号として使用される周波数の高い信号が、複数の通信線で構成されるバスラインに乗ることになる。そのため、バスラインの配線やバスラインの長さ等の構成次第によってはノイズ発生要因となり、Ｓ／Ｎ等画像データに問題を及ぼしてしまう可能性がある。また、構成上、図１でＣＣＤセンサユニット２１０が構成上スキャナユニットに組み込まれて接続される形態を採用した場合、スキャンによりＣＣＤセンサユニット２１０も同時に走査される構成となる。その結果、ＣＣＤセンサユニット２１０までバスラインを延長すると、どうしてもバスラインが長くなってしまいがちになり、バスラインの配線が難しくなる。
【００５６】
そこで、こうした問題回避のためのコストや構成メリットを最大限にかつ最適に考慮した場合、本実施形態においては、画像処理部３２５を介してシリアル通信によりＣＣＤ制御部２１３を制御することが適切となる。上記の通り、図４Ｂに示すようなレジスタマップにある複数のレジスタアドレスに対して各色モード用データを設定して初めて画像転送用クロック切替が可能となる。そのため、画像転送用クロックの切替設定のためにシリアル転送による設定では０．１〜０．２秒の時間がジョブ毎に必要となる。色モード切替のため、ＣＣＤ制御部２１３への画像転送用クロックの設定切替に要する０．１〜０．２秒は、ＦＣＯＴを短くしていく上では、障害になる可能性がある。本実施形態では、このＦＣＯＴを短くするために障害となるこの問題に対して説明することになるが、詳細については後で述べることにする。
【００５７】
次に、光量についてであるが、白黒画像を読み取るのとカラー画像を読み取るのでは、読取に必要な光量が異なり、カラー画像読取の方が白黒画像読取よりも必要な光量が大きい。そのため、カラーラインセンサでの必要な電荷蓄積時間は、白黒ラインセンサでの必要な電荷蓄積時間に比べて長くなる。また、カラー画像はＲ／Ｇ／Ｂ信号の３色の画像データに対してコントローラ部４００で各種画像処理するのに時間がかかる。一方で、白黒画像は１つの色信号処理で済むため、コントローラ部４００で実施される各種画像処理を高速にすることができる。そのため、カラー画像読取用ラインセンサユニット２１２での読取に比べ、白黒画像読取用ＣＣＤ２１１での読取の方がコントローラ部４００への画像データ転送を高速にすることが可能となる。こうした白黒画像の処理特性を生かすため、白黒画像データ転送用の画像転送用クロックをカラー画像データ転送用の画像転送用クロックに対して高速にしている。
【００５８】
そこで、本実施形態では、カラー画像読取モードに比べ画像読取速度と画像転送用クロックが早い設定になっており、カラー画像読取用ＣＣＤ２１２で読み取るための画像転送用クロック設定とは異なる画像転送用クロックが使用されている（図４Ａ）。白黒画像読取用ＣＣＤ２１１とカラー画像読取用ＣＣＤ２１２とでは、画像転送用クロックが異なり、カラー画像読取時の読取速度と白黒画像読取時の読取速度も異なる。そのため、各色モードに応じた読取用の読取速度の設定及び画像転送用クロックの設定が必要である。もともと白黒画像用の設定がされていた状態で白黒画像用の設定をする場合には再設定する必要はないが、その逆にもともとカラー画像用の設定がされていた状態で白黒画像用の設定をする場合には、再設定が必須となってしまう。
【００５９】
設定の切替が発生することになると、既に説明したように、ＣＣＤ制御部２１３への再設定時間等含めて設定時間が発生することになり、ジョブ開始とともにこれらの切替再設定動作を実施すると、ＦＣＯＴを短くすることに対しては影響を与えてしまう。
【００６０】
以上の問題を鑑みて、本実施形態においては、詳細は後述するが、ジョブ投入開始される直前の操作部４０５からのユーザによるキー入力設定タイミングで画像転送用クロック及び画像読取速度の切替を実施する。画像転送用クロック及び画像読取速度の切替が終了して、初めてジョブ開始して通常の読取前のシェーディング処理等が実施することができるようになる。
【００６１】
（本実施形態の色モード切り替えの具体例１：起動時の読取準備の処理）
図３に示すように、本実施形態のＣＣＤセンサユニット２１０は、カラー画像読取用ＣＣＤ２１２、白黒画像読取用ＣＣＤ２１１の２種類のセンサを持つ。そのため、各センサユニットがそれぞれ異なる設定で動作することになるため、電源ＯＮ直後の起動時の初期調整制御もそれぞれのセンサについて実施する必要がある。
【００６２】
図５は、起動時の読取準備の処理手順例を示すフローチャートである。
【００６３】
画像読取部２００の電源起動する（Ｓ１０００）。ＣＰＵ３２１が、カラー画像読取用調整を開始する（Ｓ１００１）。データサンプリングのため、スキャナユニット２０９を画像読取部２００のシェーディング白板２１９の直下の位置に移動する。
【００６４】
カラー画像読取用のためカラー画像読取用ＣＣＤ２１２に読取設定を実行する（Ｓ１００２）。なお、カラー画像読取用のための読取設定の中には、上記で説明したカラー画像読取用の画像読取速度及び画像転送用クロックの設定が必要であり、このカラー用の設定が実施されることにより、以下で説明するゲイン調整制御等が可能となる。
【００６５】
カラー画像読取用設定を実行した（Ｓ１００２）後、ランプＯＮする（Ｓ１００３）。シェーディング白板２１９からの反射光を光量データとしてカラー画像読取用ＣＣＤ２１２でサンプリングする。サンプリングデータを基準シェーディングデータ目標値と比較し、基準シェーディングデータ目標値に到達するまでゲイン調整で光量を上下させてサンプリングすることを繰り返す。基準シェーディングデータ目標値になった際のゲイン調整値をバックアップする（Ｓ１００５）。カラー画像読取用のゲイン調整が済んだ後、ランプＯＦＦ（Ｓ１００６）する。
【００６６】
次に、白黒画像読取用調整を開始する（Ｓ１００７）。白黒画像読取用のため白黒画像読取用ＣＣＤ２１１に読取設定を実行する（Ｓ１００８）。既にカラー画像読取用の設定（Ｓ１００２）で説明したのと同様に、白黒画像読取用設定で白黒画像読取用の画像読取速度及び画像転送用クロックの設定が必要である。
白黒画像読取用の画像読取速度及び画像転送用クロックの設定が実施されることで初めて、以下で説明するゲイン調整制御等が可能となる。白黒画像読取用設定を実行した（Ｓ１００８）後、ランプＯＮする（Ｓ１００９）。シェーディング白板２１９からの反射光を光量データとして白黒画像読取用ＣＣＤ２１１でサンプリングする。サンプリングデータを基準シェーディングデータ目標値と比較し、基準シェーディングデータ目標値に到達するまでゲイン調整で光量を上下させてサンプリングすることを繰り返す。基準シェーディングデータ目標値になった際のゲイン調整値をバックアップする（Ｓ１０１１）。白黒画像読取用のゲイン調整が済んだ後、ランプＯＦＦ（Ｓ１０１２）する。
【００６７】
カラー画像読取用及び白黒画像読取用のゲイン調整が済んだところで初期調整を終了となる（Ｓ１０１３）。
【００６８】
上記図５のフローチャートでは、カラー画像読取用の調整を先行して実施している。しかし、読取色モード指定に応じて、カラー画像読取用調整と白黒画像読取用調整の順序を逆転させた方が、調整直後のジョブ開始時に色切替設定を省略することができるので都合がよい場合がある。
【００６９】
各色モード用画像読取設定の中で、各色モード指定に対応した画像読取速度の設定及び画像転送用クロックの設定が含まれている。そこで、色モード指定のデフォルト値が白黒モードであれば、電源起動時の初期調整制御でカラーモード用初期調整を白黒モード用初期調整よりも先行して実施する。この場合、最後に白黒モード用の画像読取速度設定及び画像転送用クロックが設定された状態で終了することになり、読取開始時に白黒モード指定された際に白黒モード用に再度設定することなくジョブ開始できるので都合が良くなる。
【００７０】
一方で色モード指定のデフォルト値がカラーモードであれば、電源起動時の初期調整制御でカラーモード用初期調整よりも先行して白黒モード用初期調整制御を実施する。この場合、最後にカラーモード用の画像読取速度設定及び画像転送用クロックが設定された状態で終了することになり、読取開始時にカラーモード指定された際にカラーモード用に再度設定することなくジョブ開始できるので都合が良くなる。
【００７１】
このように、色モードのデフォルト設定に応じて電源起動時の初期調整を実施することで、電源起動直後のジョブ開始時に色切替設定なく開始することで、電源起動時直後のＦＣＯＴを短くすることができるようになる。
【００７２】
かかる色モードのデフォルト設定の判断処理を図５の電源起動後に行い、その判断結果に従って図５の処理を変更する。すなわち、デフォルト設定（図２Ｂの３２３ｅ）が白黒モードであれば図５の手順で行い、デフォルト設定がカラーモードであれば図５の手順でＳ１００７〜Ｓ１０１２を先にＳ１００１〜Ｓ１００６を後に行う。
【００７３】
（画像読取用色モードの予測及びクロック切り替えのタイミング）
上記で説明した各読取モードで開始する際に、画像読取ジョブが開始される直前に、読取原稿の色モードが確定して色モードに応じた画像読取速度切替及び画像転送用クロックの切替を終了させておく。このようにすることで、コピージョブ開始直後に色モードに応じた画像読取速度切替及び画像転送用クロック切替処理が発生しなければ、コピージョブでコピー開始してから印刷出力完了するまでの時間（ＦＣＯＴ）を短くすることが可能となる。
【００７４】
色モードとして何を指定するかについては、本実施形態では、
・白黒画像読取用ＣＣＤ２１１を使用する白黒画像読取モード、
・カラー画像読取用ＣＣＤ２１２を使用するカラー画像読取モード、
のいずれかとなる。図４Ａに示すように、白黒画像読取モードではコントローラへの画像転送用クロックも早いため、白黒画像ならば短いＦＣＯＴが期待できる。したがって、白黒画像読取モードは白黒印刷物でもかまわずとにかく早く欲しいというユーザに対して最適なモードである。したがって、ユーザの使い勝手や用途、装置構成等に応じて白黒画像読取モードを選択できるようにすると、ユーザに対して快適な画像読取装置を提供することが可能となる。
【００７５】
次に、どのタイミングで色モード指定するかについてであるが、これを説明する前に一般に画像読取部２００が使用される場合について想定することにする。
(1) コピーとして原稿を複写する。
(2) ＦＡＸとして、ネットワーク回線あるいは電話回線の向こうの印刷出力装置に出力する。
(3) 操作部からの指定により原稿束をスキャンして画像データファイルとして
保持する（ＰＵＳＨスキャン機能と呼ぶことにする）。
(4) ネットワーク回線に接続されたホストコンピュータ（ＰＣ）等の端末からの画像読取要求により原稿束をスキャンし画像データファイルとして保持する（ＰＵＬＬスキャン機能と呼ぶことにする）。
の４つの大きな使い方（動作ジョブ）が想定できる。
【００７６】
(1)については、印刷出力装置が白黒用プリンタ（白黒用画像形成装置）であるかカラー用プリンタ（カラー用画像形成装置）であるにより想定できる。(2)については、主に一般的には相手方の印刷出力装置は白黒用プリンタとなる。(3)としては、画像データを後で印刷出力する場合も想定できるが、基本的にはパソコン等でファイル参照する形態で使用されることが多く、したがって原稿としてもカラー画像読取で読み取られる場合が多い。(4)については、(1)から(3)が操作部からジョブ開始する機能に対して、ネットワーク回線を介してネットワーク回線に接続されたＰＣ端末からのジョブ開始する機能であり、使われ方としては(3)と類似している。
【００７７】
こうした(1)〜(4)で使用される場合に、画像読取用色モード指定をどのようなタイミングで実施するかについてであるが、(1)〜(4)でユーザが複写機を使用する際に共通して必ず実行する作業のタイミングがある。すなわち、画像読取ジョブが開始される直前で、(1)〜(4)の各処理モードに対する各種詳細設定するための図３に図示される操作部４０５からキー入力操作するタイミングである。
【００７８】
ユーザが入力する操作部４０５の画面設定（図７Ａ〜図７Ｄ参照）から、ジョブの種類（ファクシミリジョブ／コピージョブ／ＰＵＳＨスキャンジョブ：ボックスジョブ）を予測判断する。そして、ジョブ開始前にジョブ時の読取モードに適した色モードを特定できれば、ジョブ開始直後に色モードの切替をせずに済む。特定された色モードに応じた画像転送用クロックの切替設定や画像読取速度の切替設定がジョブ開始するまでに終了できると、ＦＣＯＴを短くすることが可能でなる。特に、白黒画像については、カラー画像に比べ処理が早いため、予測判断により適切に白黒画像読取モードを特定できれば、ジョブ開始直後に色モードの切替しないようにすることで、白黒画像読取モードによる短いＦＣＯＴが期待できる。
【００７９】
また、操作部４０５の画面からのキー入力操作以外でも、ＡＤＦ１００の原稿トレイ３０に原稿が積載されたタイミングをトリガとして、画像読取用色モードの予測ができる。そして、色モードに応じた画像転送用クロックの切替設定や画像読取速度の切替設定がコピー開始をするまでに終了させることができると、ＦＣＯＴを短くすることが可能である。
【００８０】
（本実施形態の色モード切り替えの具体例２：操作部キー入力による色モード予測）
キー操作入力のタイミングで指定する画像読取用色モードをどのように選択するかについて説明する。上記のように、プリンタまで含めた装置構成や、機能としての使い勝手や、実際に使用される画像読取用色モードの使用履歴等から使用される可能性が高い画像読取用色モードを選択する等で予測判断する。
【００８１】
こうして、ジョブ開始時の色モードと合致するように画像読取用色モードを適切に特定でき、ジョブ開始前に色モードの切替設定を実施できれば、ジョブ開始時には色モードの切替に伴う設定変更の時間を省略することができる。それにより、ＦＣＯＴが短い複写機を提供することができる。
【００８２】
図６は、キー操作入力のタイミングでの画像読取用色モードの予測と切り替え設定の処理手順例を示すフローチャートである。ただし、上記で説明した(4)のＰＵＬＬスキャンについては、ジョブ開始指示が、ネットワーク回線等で接続された外部のホストコンピュータ等の端末からの指示によるものである。そのため、ジョブ設定の方法が(1)〜(3)に上げた使用方法と異なるため、図６での説明は(1)〜(3)のものとし、(4)の詳細については、別途説明することにする。
【００８３】
図７Ａ〜図７Ｄに図示される操作部４０５の表示画面は、ジョブ開始時に、ユーザの所望の読取等の各種モード設定を行うものであり、コントローラ部４００に接続され、制御部４０１で操作部４０５からキー入力される設定情報を判断する。
【００８４】
操作部４０５の画面（図７Ａ〜図７Ｄ）でのキー入力を、コントローラ部４００の制御部４０１が検知する。制御部４０１の検知結果から、画像読取部２００は少なくともユーザが現在使用するつもりのジョブモード（コピージョブ、ファクシミリジョブ、ＰＵＳＨスキャンジョブ：ボックスジョブ、ＰＵＬＬスキャンジョブ：リモートジョブ）が何であるか予測判断する。各ジョブモードで、色モード指定時に画像読取用色モードを選択する（Ｓ６００）。
【００８５】
ＰＵＬＬスキャンジョブのための設定である、図７Ｄのようにリモートのキー選択がされたかを検知する（Ｓ６２０）。もし、リモート指定されてＰＵＬＬスキャンジョブの指定の場合には、後で詳細説明することにする。
【００８６】
リモート指定されておらずＰＵＬＬスキャン指定ではなかった場合には、ステップＳ６０１でＦＡＸジョブモードか否かを確認する。ステップＳ６０１では、ユーザにより操作部４０５の画面のＦＡＸキーが入力されてＦＡＸ送信用設定画面（図７Ｂ）に切り替えられたことを制御部４０１が検知することで、ＦＡＸジョブが投入されそうか否かを判断する。制御部４０１がＦＡＸ送信用設定画面に切り替えられたことを検知できれば、ＦＡＸジョブと判断し、ステップＳ６０４のＦＡＸ時の色モード指定に入る。
【００８７】
ＦＡＸジョブではない場合に、ユーザにより操作部４０５の画面のコピーキーが入力されてコピー設定画面（図７Ａ）に切り替えられたことを検知することで、コピージョブが投入されそうか否かを判断する。コピージョブ設定画面（図７Ａ）に切り替えられたことを検知できれば、コピージョブと判断し、ステップＳ６０５のコピージョブ時の色モード指定フローに入る。ＦＡＸジョブでもなくコピージョブでもない場合（例えば、図７Ｃのボックスキー入力）には、ＰＵＳＨスキャンジョブであると判断し、ＰＵＳＨスキャンジョブ時の色モード指定フローに入る（Ｓ６０７）。
【００８８】
ＦＡＸ時の色モード指定の場合（Ｓ６０４）には、基本的に送信先は白黒印刷出力となるため、カラー画像読取モードに比べてＦＣＯＴが短く生産性も高い白黒画像読取モードを予測し選択する（Ｓ６１１）ことになる。
【００８９】
コピージョブ時の色モード指定の場合（Ｓ６０５）には、コピージョブで出力するために、図８Ａのように画像読取部２００に接続されたプリンタ部（画像形成装置）が白黒プリンタであれば、必ず白黒出力印刷となる。そのため、画像データとしてはカラーで読み取る必要がないため、ＦＣＯＴが短く生産性も高い白黒画像読取モードを予測し選択することになる。
【００９０】
図８Ｂのように画像読取部２００に接続されたプリンタ部（画像形成装置）がカラープリンタの場合には、図９に示すユーザ設定画面でユーザによりデフォルトの画像読取用色モードの指定で、白黒画像読取モード指定されているか判断する（Ｓ６０９）。ここでデフォルトの色モード指定というのは、ユーザが予め設定した画像読取用色モードが操作部４０５画面にデフォルトで選択された状態になることである。例えば、白黒画像読取モードの場合には、図７Ａでコピー設定の操作部４０５の画面に図示されるように、いちいち色モードを選択しなくても済むように"白黒選択"した状態になる。
【００９１】
図９の白黒画像読取モード選択は、カラープリンタであるがほとんど白黒モードでしか出力しないというようなユーザの使い勝手を想定している。図９で白黒画像読取モード選択されていなければ、カラープリンタであるため、カラー画像読取モード選択する。図９の設定でユーザ設定が白黒画像読取モード設定されている場合には白黒画像読取モードを予測して選択（Ｓ６１１）し、カラー画像読取モード設定されている場合にはカラー画像読取モードを予測して選択（Ｓ６１２）する。
【００９２】
ステップＳ６０７のＰＵＳＨスキャンジョブ時の色モード指定フローの場合に、図９のデフォルトの色モード指定されている場合、ステップＳ６０９で白黒画像読取モード指定か否かを判断する。白黒画像読取モード指定であれば白黒画像読取モードと予測し選択する（Ｓ６１１）。白黒画像読取モード指定でなければ、カラー画像読取モードと予測し選択する（Ｓ６１２）。
【００９３】
ステップＳ６１１またはＳ６１２で予測し選択された画像読取モードに従って、ステップＳ６２１において、ユーザによる読取開始指示を待つことなく、画像読取速度及び画像転送用クロックが設定される。なお、現在の画像読取モードが予測された画像読取モードと同じであれば何もしない、現在の画像読取モードが予測された画像読取モードと異なれば画像読取前に画像読取速度及画像転送用クロックを切り替える。そして、画像読取の開始に進む（Ｓ６２２）。
【００９４】
ステップＳ６０８でユーザによりデフォルトの画像読取用色モードが指定されていなければ、使用履歴から画像読取用色モードを選択する（Ｓ６１０）。具体的には、図１０のような使用履歴を表示するカウンタ画面に示すように、色モードを判断すべきカラーモードか白黒モードかを判断するタイミングも自由に設定できるとする。例えば、過去１００回のジョブについて、カラースキャンカウントＣC及び白黒スキャンカウントＣBとして各スキャン頻度を画像読取部２００内で覚えておく。そして、ＣB＞ＣCを判断する（Ｓ６１３）。なお、スキャンカウントはスキャンした原稿枚数に相当する。
【００９５】
これが真の場合は、すなわち白黒スキャンがカラースキャンよりも傾向的に多い（Ｓ６１６）ということが判断できるので、色画像読取モードの選択としては白黒画像読取モードを予測し選択する（Ｓ６１８）。その逆で偽の場合には、カラースキャンが白黒スキャンよりも傾向的に多い（Ｓ６１５）ということが判断できるので、色画像読取モードの選択としてはカラー画像読取モードを予測し選択する（Ｓ６１７）。
【００９６】
ステップＳ６１７またはＳ６１８で予測し選択された画像読取モードに従って、ステップＳ６１９において、画像読取速度及び画像転送用クロックが設定される。なお、現在の画像読取モードが予測された画像読取モードと同じであれば何もしない、現在の画像読取モードが予測された画像読取モードと異なれば画像読取前に画像読取速度及画像転送用クロックを切り替える。そして、画像読取の開始に進む（Ｓ６２０）。
【００９７】
こうして、予測判断に基づき選択された読取色モードに関する転送クロックの切替設定や読取速度の切替設定をジョブ開始までに実施できる。
【００９８】
（本実施形態の色モード切り替えの具体例３：ＰＣ端末からの指定検知による色モード予測）
操作部４０５での図７Ｄの設定は、ネットワーク回線（１３１０）で接続されたホストコンピュータ（１３００）からリモート読取を実施する際に設定される操作部４０５での表示である。図６のフローチャートステップＳ６２０で、図７Ｄの操作部４０５のキー入力指定でリモートを選択されてＰＵＬＬスキャンジョブを実施される場合について、以下説明する。
【００９９】
ＰＵＬＬスキャンジョブは、ネットワーク回線（１３１０）等の通信回線を通して、直接ホストコンピュータ（１３００）から原稿画像読取を指示して画像読取動作するジョブである。本実施形態において、コントローラ部４００では、画像読取部２００の前で操作部４０５からの操作でコピージョブを開始することによる画像読取開始の場合と、ネットワーク等外部からＰＵＬＬスキャン等の画像開始の場合とが同時に発生する場合がある。この場合には、ジョブとして管理することができなくなるため、画像読取についてはＰＵＬＬスキャンジョブか否かを排他的に制御している。図６のフローチャートは、ＰＵＬＬスキャンジョブ以外の操作部４０５からの開始指示によるジョブについての説明であった。この項では、ＰＵＬＬスキャンについて説明する。
【０１００】
図１１は、本例を実現するシステム構成例を示す図である。ＰＵＬＬスキャンジョブが実施されるネットワーク回線１３１０での接続状況を示しており、画像読取部２００のコントローラ部４００がネットワーク回線１３１０に接続されている。さらに、同じネットワーク回線１３１０にはホストコンピュータであるＰＣ端末１３００が接続されており、ＰＣ端末１３００から画像読取部２００に対してＰＵＬＬスキャンジョブの開始指定ができるようになっている。１３１０はネットワーク回線を示しているが、画像読取部２００とＰＣ端末を専用ケーブル等で１対１で接続して、１台のＰＣ端末１３００から直接ＰＵＬＬスキャンジョブを開始して指定する構成でもよい。
【０１０１】
図１５は、ＰＣ端末１３００からＰＵＬＬスキャンジョブを開始する場合の処理手順例を示すフローチャートである。なお、図１５においてＳ１５００〜Ｓ１５０７はＰＣ端末１３００の処理、Ｓ１５０８は画像読取装置の画像読取部の処理である。画像読取装置においては、ステップＳ１５０２の問合せに対するＰＵＬＬスキャンジョブ受信可能か否かの応答、ステップＳ１５０７の読取色モード情報の送信に対応する受信、そしてステップＳ１５０８の画像転送用クロックの設定が実行される。
【０１０２】
ＰＵＬＬスキャンジョブ（Ｓ１５００）は、ＰＣ端末１３００で実行されている何らかのアプリケーションソフトウェアからの画像読取のための指示によるものであるため、アプリケーションを起動する（Ｓ１５０１）。ＰＣ端末１３００では、画像読取部２００がＰＵＬＬスキャンジョブ受信可能かを問い合わせる（S１５０２）。受信可能か否かは、図６のフローチャートで操作部４０５のキー入力でリモート設定画面（図７Ｄ）を選択したか否かで決定する。
【０１０３】
画像読取部２００のコントローラ部４００では、ＰＵＬＬスキャンジョブか否かの排他で制御しているため、リモート設定になっていなければ、ＰＵＬＬスキャンジョブを受信できない（Ｓ１５０３）。そのため、リモート設定となっていない場合には、図１３Ｂに示すように、ＰＣ端末１３００の操作者にＰＵＬＬスキャンジョブ不可能である旨のアラームメッセージ（１４０５）を通知する（Ｓ１５０５）。画像読取部２００の操作部４０５がリモート設定になっていれば、ＰＵＬＬスキャンジョブ可能となり、ＰＵＬＬスキャンジョブの設定開始となる（Ｓ１５０４）。
【０１０４】
図１３Ａに、あるアプリケーションでの読取設定における読取モード設定画面がＰＣ端末１３００のディスプレイ上に表示された場合の一例について示す。ＰＣ端末１３００のディスプレイ上に表示されている設定画面１４００には、解像度設定を指定する設定キー１４０２、読取色モード設定を指定する設定キー１４０１が表示されている。また、スキャンを開始させる設定キー１４０３、画像読取スキャンにより取り込まれた画像のプレビュー表示する１４０４が表示されている。
【０１０５】
ＰＵＬＬスキャンジョブ開始直前には、コピージョブ開始直前と同様に、事前になんらかの設定がユーザ側で指定される。図１３Ａの表示の読取色モード設定を含む設定などである。既に説明したが、ＰＵＬＬスキャンジョブとＰＵＬＬスキャン以外のジョブとは排他的に実施されることになる。そのため、ＰＣ端末１３００からは、ＰＵＬＬスキャンが可能な状態にあるか否かについて、ネットワーク回線１３１０を介して必ず画像読取部２００のコントローラ部４００に問い合わせ等の通信が発生し、情報の送受信を実施している。その通信はジョブが開始されるタイミングだけではなく、ジョブ開始される前にも実施されている。
【０１０６】
そこで、ＰＵＬＬスキャンジョブ開始前のタイミングで、図１３Ａの読取色モード設定のキー選択された（Ｓ１５０６）時点で、選択された色モード情報（白黒モード／カラーモード）を画像読取部２００に送信する（Ｓ１５０７）。実際には、画像読取部２００のコントローラ部４００で最初に情報を受信し、画像読取部２００に情報を通知することになる。ＰＣ端末１３００から読取色モードの情報を受信したコントローラ部４００は、ＰＣ端末１３００からの情報に応じて画像読取部２００へ読取色モードを指示する。
【０１０７】
ステップＳ１５０８では、画像読取部２００のＣＰＵ３２１が、画像読取モードに従って画像読取速度及び画像転送用クロックを設定する。なお、現在の画像読取モードが予測された画像読取モードと同じであれば何もしない、現在の画像読取モードが予測された画像読取モードと異なれば画像読取前に画像読取速度及画像転送用クロックを切り替える。そして、ＰＵＬＬスキャン開始に進む（Ｓ１５０９）。
【０１０８】
ＰＵＬＬスキャンジョブにおいても、図６のフローチャートで説明したコピージョブ／ＦＡＸジョブ／ＰＵＳＨスキャンジョブと同様に、ＰＵＬＬスキャンジョブが開始される前に、読取色モード情報が画像読取部２００に送信される。そのため、画像読取が開始される前に指示された読取色モードに応じて画像転送用クロックの切替設定や読取速度の切替設定を読取開始前に実施することが可能となる（Ｓ１５０８）。このようにすることで、ジョブ開始後にあらためて読取色モード用の設定を実施することなく、切替に要する時間を低減させた早い読取が可能となる。
【０１０９】
（本実施形態の色モード切り替えの具体例４：原稿トレイ上の原稿積載検知タイミングでの色モード予測）
ＡＤＦ１００の原稿トレイ３０上に原稿が積載されたことをＣＰＵ３００で検知することで、通信線３５１を介してＣＰＵ３２１は知ることができる。原稿トレイ３０上に原稿が積載されたことを検知したタイミングでの色モード予測方法について、以下、図１４のフローチャートを使用して説明する。
【０１１０】
原稿トレイ３０上に原稿が積載されたことを検知した場合の画像読取色モードの予測は（Ｓ１２００）では、最初に、図９のユーザによるデフォルトの画像読取用の色モード指定を確認する（Ｓ１２０１）。色モード指定がある場合には白黒画像読取モード指定か、カラー画像読取モード指定かを確認する（Ｓ１２０２）。ユーザによるデフォルト設定に従い、白黒画像読取モード指定の場合には白黒画像読取モードを予測して選択し（Ｓ１２０５）、カラー画像読取モード指定の場合にはカラー画像読取モードを予測して選択する。
【０１１１】
ステップＳ１２０５またはＳ１２０６で予測し選択された画像読取モードに従って、ステップＳ１２１４において、画像読取速度及び画像転送用クロックが設定される。なお、現在の画像読取モードが予測された画像読取モードと同じであれば何もしない、現在の画像読取モードが予測された画像読取モードと異なれば画像読取前に画像読取速度及画像転送用クロックを切り替える。そして、画像読取の開始に進む（Ｓ１２１５）。
【０１１２】
また、ユーザによるデフォルト画像読取用の色モード指定なしの場合には、使用履歴による色画像指定で色画像読取モードを選択する（Ｓ１２０３）。ステップＳ１２０３以降は、図６のフローチャートのステップＳ６１３以降と同様である。カラースキャンカウントＣC及び白黒スキャンカウントＣBとして各スキャン頻度を画像読取部２００内で覚えておき、ＣB＞ＣCを判断する（Ｓ１２０７）。これが真（Ｙes）の場合、すなわち白黒スキャンがカラースキャンよりも傾向が高い（Ｓ１２０８）ということが判断できるので、読取画像色モード指定は白黒画像読取モードを予測し選択する（Ｓ１２１０）。その逆で偽（Ｎｏ）の場合には、カラースキャンが白黒スキャンよりも傾向が高い（Ｓ１２０９）ということが判断できるので、画像読取色モード指定としては、カラー画像読取モードを予測し選択する（Ｓ１２１１）。
【０１１３】
ステップＳ１２１０またはＳ１２１１で予測し選択された画像読取モードに従って、ステップＳ１２１２において、画像読取速度及び画像転送用クロックが設定される。なお、現在の画像読取モードが予測された画像読取モードと同じであれば何もしない、現在の画像読取モードが予測された画像読取モードと異なれば画像読取前に画像読取速度及画像転送用クロックを切り替える。そして、画像読取の開始に進む（Ｓ１２１３）。
【０１１４】
こうして、予測判断に基づき選択された色画像読取モードに関する転送クロックの切替設定や読取速度の切替設定をジョブ開始までに実施する。
【０１１５】
＜本実施形態の画像読取用色モード予測指定後のジョブシーケンス例＞
上述の各具体例では、画像読取が開始するまでの間に、色モードを予測判断して、画像読取速度及び画像転送用クロック切替処理を先行実施することを説明した。
【０１１６】
図１５は、読取開始後の処理手順例を示すフローチャートである。なお、図１５では、図６のジョブの各種モードを設定するために操作部４０５からキー入力があった場合に、操作部４０５からのキー入力をトリガとして、操作部４０５からのキー入力から予測できる色モードの設定を例に説明する。しかし、他の色モードの予測設定の場合も同様である。
【０１１７】
図１５では、ジョブ開始キー、例えば、操作部４０５に見られるようなコピー開始キー押下で開始される原稿画像読取ジョブシーケンスについて説明する。原稿画像読取ジョブのシーケンスを開始する（Ｓ１１００）ために、読取開始指示としてユーザによりコピー開始キーのようなジョブ開始キーが押下される（Ｓ１１０１）。
【０１１８】
ジョブが開始されると、図示しないが、図２Ａのコントローラ部の制御部４０１が操作部４０５の設定入力を解釈し、ジョブモードとして画像読取部２００のＣＰＵ３２１にコントローラ・インタフェースの制御通信線３５２を介して通知する。ＣＰＵ３２１は、あらためてジョブ設定モードを確認し、先行してキー入力によりクロックが切替されていた色モードと、実際にジョブ開始で設定されたジョブモードの設定の１つである色モードとが合致しているかを確認する（Ｓ１１０２）。既にキー入力タイミングで画像転送用クロックの切替処理が実施された色モードと、ユーザに最終的に指定された色モードとが合致していれば、クロック設定処理済みと判断し、スキャナユニットをシェーディング位置へ移動する（Ｓ１１０４）。画像転送用クロックの切替処理が実施された色モードとユーザに最終的に指定された色モードとが合致してない場合には、ユーザ指定の色モード用に画像転送用クロックの切替処理を実行する（Ｓ１１０３）。
【０１１９】
スキャナユニットをシェーディング位置へ移動（Ｓ１１０４）後、シェーディング処理を含む前処理を実施（Ｓ１１０５）する。読取前処理が終了するのを待ち（Ｓ１１０６）、読取処理が終了後に、ＤＦジョブか否かを確認（Ｓ１１０７）する。
【０１２０】
ＤＦジョブの場合には、スキャナユニットをＤＦ読取位置へ移動（Ｓ１１０８）し、圧板原稿読取ジョブの場合には圧板原稿読取開始位置へ移動（Ｓ１１０９）し、読取を開始する。（Ｓ１１１０）。すべての原稿画像読取が終了するのを確認し（Ｓ１１１１）、すべての原稿画像読取終了したらスキャナユニットをＨＰ位置へ移動し（Ｓ１１１２）、原稿画像読取ジョブを終了する（Ｓ１１１３）。
【０１２１】
図６のフローチャートでは、ジョブ開始時の色モードと、その直前の各モード設定用キー操作入力のタイミングで設定される色モードとを適切にあわせることができるように色モードの予測判断をしていた。色モードの予測といえども、ＦＡＸジョブである場合、または、プリンタが白黒プリンタである場合には、白黒画像読取モードとほぼ特定できる。
【０１２２】
こうしたジョブをユーザが操作部４０５からキー入力で設定しているタイミングで検知し判断することは可能であり、その結果、ジョブ開始時の色モードとを適切に合致させることが可能である。また、ユーザの使用履歴から傾向的に色モードを予測判断する（図６及び図１４参照）。これにより、ジョブ開始時の色モードと、その直前の各モード設定用キー操作入力の直後のタイミングで設定される色モード、または原稿トレイ３０上に原稿が積載される直後のタイミングで設定される色モードとを最適に合致させることが可能である。
【０１２３】
また、ユーザがデフォルトの色モード指定している場合には、ほぼその色モードでジョブ設定される可能性が高い。そのため、ユーザによる操作部４０５からのキー入力直後のタイミング（図６参照）、及び原稿積載検知直後のタイミング（図１４参照）で、色モードとジョブ開始時の色モードとを最適に合致させることができる。
【０１２４】
こうして、操作部４０５からのキー入力直後のタイミングで、あるいは原稿積載検知タイミングで先行して色モードに応じた画像読取の速度切替及び画像転送用クロックの切替を実施する。これにより、ステップＳ１１０３のジョブ開始直後の色モードについての画像転送用クロックの切替及び画像読取速度の切替処理の実行を省略することが可能である、そのため、ＦＣＯＴの短い画像読取装置を提供することができる。
【０１２５】
＜他の実施形態＞
上記実施形態では、表面のみ読取用スキャナユニットを備える装置の一例についての説明であったが、表面のみではなく、裏面読取用のスキャナユニットを備える装置についても同様に考えることができる。
【０１２６】
図１６に裏面用スキャナユニットを備える自動原稿給紙装置１８００の断面図を示す。図１６の画像読取装置１００１は図１に示す画像読取装置１０００と構成はほぼ同じである。図１６の自動原稿給紙部１８００は、図１の自動原稿給紙部に対して、裏面スキャナユニット１８０１を備えることで、原稿搬送パス上で原稿を反転することなく両面読取することができる自動原稿給紙部である。
【０１２７】
裏面用スキャナユニット１８０１は、カラー画像読取用ＣＩＳ１８０２と白黒画像読取用ＣＩＳ１８０３及びランプ１８０４を内部に持ち、画像信号を画像データに変換できる構成になっている。両面読取時の裏面読取用のスキャナユニット１８０１について、クロック切替処理に伴う時間を必要とする構成については表面読取用スキャナユニットと同様である。
【０１２８】
そこで、図６で説明したフローチャートでステップＳ６１２、Ｓ６１１、Ｓ６１７及びＳ６１８で決定した読取色モード選択を実施する。操作部４０５からのキー入力のタイミングで表裏の画像読取用のスキャナユニットに対して選択された色モードに応じた画像読取速度の切替及び画像転送用クロックの切替設定を実施すればよい。両面読取ジョブは基本的には、表面も裏面も同じ色モードで読み取るため、裏面スキャナユニットを使用する両面ジョブ開始後についても、前記表面用スキャナユニットと同様に、表裏の各スキャナユニットに対して処理することを考えればよい。各スキャナユニット毎に、ジョブモードで指定された色モードと操作部４０５からのキー入力タイミングで設定された色モードとを確認する。確認して合致していれば、表裏スキャナユニット共に、ジョブ開始時に色モード切替に伴うクロック切替を省略することでクロック切替に伴う時間を短縮することができる。こうして、表裏にそれぞれスキャナユニットを持つ構成での両面読取制御時においても、ＦＣＯＴの短い装置を提供することができる。
【０１２９】
なお、本発明は、複数の機器から構成されるシステムに適用してもよいし、また、一つの機器からなる装置に適用してもよい。例えば、スキャナ、プリンタ、ＰＣ、複写機、複合機及びファクシミリ装置の如くである。
【０１３０】
また、本発明は、前述した実施形態の各機能を実現するソフトウエアプログラムを、システム若しくは装置に対して直接または遠隔から供給することによっても達成される。そして、そのシステム等に含まれるコンピュータが該供給されたプログラムコードを読み出して実行する。
【０１３１】
従って、本発明の機能・処理をコンピュータで実現するために、該コンピュータにインストールされるプログラムコード自体も本発明を実現するものである。つまり、上記機能・処理を実現するためのコンピュータプログラム自体も本発明の１つである。
【０１３２】
その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ、ＤＶＤ−Ｒ）などもある。
【０１３３】
また、プログラムは、クライアントコンピュータのブラウザを用いてインターネット／イントラネットのウェブサイトからダウンロードしてもよい。すなわち、該ウェブサイトから本発明のコンピュータプログラムそのもの、もしくは圧縮され自動インストール機能を含むファイルをハードディスク等の記録媒体にダウンロードしてもよいのである。また、本発明のプログラムを構成するプログラムコードを複数のファイルに分割し、それぞれのファイルを異なるウェブサイトからダウンロードすることによっても実現可能である。つまり、本発明の機能処理をコンピュータで実現するためのプログラムファイルを複数のユーザに対してダウンロードさせるＷＷＷサーバも、本発明の構成要件となる場合がある。
【０１３４】
また、本発明のプログラムを暗号化してＣＤ−ＲＯＭ等の記憶媒体に格納してユーザに配付してもよい。この場合、所定条件をクリアしたユーザにのみ、インターネット／イントラネットを介してウェブサイトから暗号化を解く鍵情報をダウンロードさせる。そして、その鍵情報で暗号化されたプログラムを復号して実行し、プログラムをコンピュータにインストールしてもよい。
【０１３５】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部または全部を行ってもよい。もちろん、この場合も、前述した実施形態の機能が実現され得る。
【０１３６】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部または全部を行ってもよい。このようにして、前述した実施形態の機能が実現されることもある。
【図面の簡単な説明】
【０１３７】
【図１】本実施形態の画像読取装置の一例を示す断面図である。
【図２Ａ】本実施形態の画像読取装置の制御部の構成例を示すブロック図である。
【図２Ｂ】本実施形態の画像読取部のＲＡＭの構成例を示す図である。
【図３】本実施形態の画像読取装置において、画像読取用の白黒読取用ＣＣＤ及びフルカラー読取用ＣＣＤを搭載したスキャナユニットを模式的に表した図である。
【図４Ａ】本実施形態の画像読取装置において、カラー画像読取モード選択時及び白黒画像読取モード選択時の各画像転送用クロックを説明する図である。
【図４Ｂ】本実施形態のＣＣＤ制御部のレジスタマップの一例を説明する図である。
【図４Ｃ】本実施形態のＣＣＤ制御部へのシリアル転送の概念図の一例を説明する図である。
【図５】本実施形態の画像読取装置において、電源起動時におけるセンサ初期調整シーケンスの一例を示すフローチャートである。
【図６】本実施形態の画像読取装置における、画像読取色モード選択時の処理手順の一例を示すフローチャートである。
【図７Ａ】本実施形態の画像読取装置において、ユーザがジョブモード設定を実施する操作部の表示画面例を示す図である。
【図７Ｂ】本実施形態の画像読取装置において、ユーザがジョブモード設定を実施する操作部の表示画面例を示す図である。
【図７Ｃ】本実施形態の画像読取装置において、ユーザがジョブモード設定を実施する操作部の表示画面例を示す図である。
【図７Ｄ】本実施形態の画像読取装置において、ユーザがジョブモード設定を実施する操作部の表示画面例を示す図である。
【図８Ａ】本実施形態の画像読取装置を含むシステム構成の一例を説明する図である。
【図８Ｂ】本実施形態の画像読取装置を含むシステム構成の他例を説明する図である。
【図９】本実施形態の画像読取装置における、ユーザによる画像読取色モードの選択設定用画面の一例を説明する図である。
【図１０】本実施形態の画像読取装置における、画像読取用色モードを選択するために使用するカラーモード及び白黒モードの各スキャン回数カウントを説明する図である。
【図１１】本実施形態の画像読取装置、ホストコンピュータ及びネットワーク回線を利用したリモート制御によるＰＵＬＬスキャンジョブ機能を実現する画像読取システム構成の一例を説明する図である。
【図１２】本実施形態の画像読取システムにおける、ＰＵＬＬスキャンジョブの手順の一例を示すフローチャートである。
【図１３Ａ】本実施形態の画像読取システムにおける、ホストコンピュータ上のスキャン設定詳細画面の一例を示す図である。
【図１３Ｂ】本実施形態の画像読取システムにおける、ホストコンピュータ上のアラーム報知画面の一例を示す図である。
【図１４】本実施形態の画像読取装置における、原稿セット時の画像読取色モード予測の一例を示すフローチャートである。
【図１５】本実施形態の画像読取装置において、読取開始した後のシーケンスの一例を示すフローチャートである。
【図１６】他の実施形態の画像読取装置の一例を示す断面図である。
【図１】
2010130111.tif 000003
【図２Ａ】
2010130111.tif 000004
【図２Ｂ】
2010130111.tif 000005
【図３】
2010130111.tif 000006
【図４Ａ】
2010130111.tif 000007
【図４Ｂ】
2010130111.tif 000008
【図４Ｃ】
2010130111.tif 000009
【図５】
2010130111.tif 000010
【図６】
2010130111.tif 000011
【図７Ａ】
2010130111.tif 000012
【図７Ｂ】
2010130111.tif 000013
【図７Ｃ】
2010130111.tif 000014
【図７Ｄ】
2010130111.tif 000015
【図８Ａ】
2010130111.tif 000016
【図８Ｂ】
2010130111.tif 000017
【図９】
2010130111.tif 000018
【図１０】
2010130111.tif 000019
【図１１】
2010130111.tif 000020
【図１２】
2010130111.tif 000021
【図１３Ａ】
2010130111.tif 000022
【図１３Ｂ】
2010130111.tif 000023
【図１４】
2010130111.tif 000024
【図１５】
2010130111.tif 000025
【図１６】
2010130111.tif 000026
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、
原稿画像の読取開始指示に先だって、前記白黒ラインセンサにより原稿画像を読み取る白黒読取モードで原稿画像を読み取るか、前記カラーラインセンサにより原稿画像を読み取るカラー読取モードで原稿画像を読み取るかを予測する予測手段と、
前記予測手段がカラー読取モードと予測した場合は、前記原稿画像の読取開始指示を待つことなく、前記カラーラインセンサによる原稿画像の読み取り準備を開始し、前記予測手段が白黒読取モードと予測した場合は、前記原稿画像の読取開始指示を待つことなく、前記白黒ラインセンサによる原稿画像の読み取り準備を開始する読取準備手段とを有することを特徴とする画像読取装置。
【請求項２】
前記異なるパラメータは、原稿画像を読み取る速度を含むことを特徴とする請求項１に記載の画像読取装置。
【請求項３】
前記異なるパラメータは、読み取られた原稿画像に対応する画像データの転送用クロックの周波数を含むことを特徴とする請求項１または２に記載の画像読取装置。
【請求項４】
前記予測手段は、前記画像読取装置の操作部からのユーザによる動作ジョブの設定に応答して読取モードの予測を開始することを特徴とする請求項１に記載の画像読取装置。
【請求項５】
前記予測手段は、前記画像読取装置への原稿のセットに応答して読取モードの予測を開始することを特徴とする請求項１または４に記載の画像読取装置。
【請求項６】
前記予測手段は、操作部からユーザにより設定されたデフォルトの読取モードを、前記画像読取装置が原稿画像の読み取りを開始する読取モードとして予測することを特徴とする請求項１乃至５のいずれか１項に記載の画像読取装置。
【請求項７】
前記予測手段は、前記画像読取装置に動作ジョブの種類に対応づけて記憶された読取モードを、前記画像読取装置が原稿画像の読み取りを開始する読取モードとして予測することを特徴とする請求項１乃至５のいずれか１項に記載の画像読取装置。
【請求項８】
前記予測手段は、前記画像読取装置の動作ジョブがファクシミリジョブである場合、または、前記画像読取装置の動作ジョブがコピージョブであって且つ前記画像読取装置に接続された画像形成装置が白黒用画像形成装置である場合、または、前記画像読取装置の動作ジョブがスキャンジョブであって且つ白黒の読み取り履歴の枚数がカラーの読み取り履歴の枚数より多い場合に、前記画像読取装置が原稿画像の読み取りを開始する読取モードを白黒読取モードと予測することを特徴とする請求項７に記載の画像読取装置。
【請求項９】
前記予測手段は、前記画像読取装置の動作ジョブがコピージョブであって且つ前記画像読取装置に接続された画像形成装置がカラー用画像形成装置である場合、または、前記画像読取装置の動作ジョブがスキャンジョブであって且つカラーの読み取り履歴の枚数が白黒の読み取り履歴の枚数より多い場合に、前記画像読取装置が原稿画像の読み取りを開始する読取モードをカラー読取モードと予測することを特徴とする請求項７に記載の画像読取装置。
【請求項１０】
前記画像読取装置の起動時にカラーの画像読取用の調整及び白黒の画像読取用の調整を行う調整手段と、
前記画像読取装置の起動時に前記予測手段により予測された読取モードに対応して、前記カラーの画像読取用の調整及び白黒の画像読取用の調整の順序を変更する変更手段とをさらに有することを特徴とする請求項１に記載の画像読取装置。
【請求項１１】
前記画像読取装置は、前記画像読取装置の読取モードを指示する外部装置と接続しており、
原稿画像の読取開始指示に先だって、前記外部装置が指示する読取モードを受信する受信手段を更に有し、
前記予測手段は、前記受信手段が原稿画像の読取開始指示に先だって受信した読取モードに対応して、前記白黒ラインセンサにより原稿画像を読み取る白黒読取モードで原稿画像を読み取るか、前記カラーラインセンサにより原稿画像を読み取るカラー読取モードで原稿画像を読み取るかを予測することを特徴とする請求項１に記載の画像読取装置。
【請求項１２】
請求項１乃至１１のいずれか１項に記載の画像読取装置と、
前記画像読取装置が読み取った画像を記録媒体に形成する画像形成装置とを備えることを特徴とする画像処理装置。
【請求項１３】
カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、
前記画像読取装置の動作ジョブがコピージョブであって且つ前記画像読取装置に接続された画像形成装置が白黒用画像形成装置である場合、前記原稿画像の読取開始指示を待つことなく前記白黒ラインセンサの読み取り準備を開始し、前記画像読取装置の動作ジョブがコピージョブであって且つ前記画像読取装置に接続された画像形成装置がカラー用画像形成装置である場合、前記原稿画像の読取開始指示を待つことなく前記カラーラインセンサの読み取り準備を開始するよう、デフォルト設定された読取準備手段を有することを特徴とする画像読取装置。
【手続補正３】
【補正対象書類名】明細書
【補正対象項目名】０００１
【補正方法】変更
【補正の内容】
【０００１】
本発明は、画像読取装置に関するものである。
【手続補正４】
【補正対象書類名】明細書
【補正対象項目名】０００９
【補正方法】変更
【補正の内容】
【０００９】
本発明は、上記問題点に鑑み、カラーラインセンサと白黒ラインセンサとを備え、異なるパラメータに基づいて原稿画像を読み取る場合に、コピー開始を指示してから１枚目の出力までの時間を短縮した画像読取装置を提供する。
【手続補正５】
【補正対象書類名】明細書
【補正対象項目名】００１０
【補正方法】変更
【補正の内容】
【００１０】
前記目的を達成するために、本発明の画像読取装置は、カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、原稿画像の読取開始指示に先だって、前記白黒ラインセンサにより原稿画像を読み取る白黒読取モードで原稿画像を読み取るか、前記カラーラインセンサにより原稿画像を読み取るカラー読取モードで原稿画像を読み取るかを予測する予測手段と、前記予測手段がカラー読取モードと予測した場合は、前記原稿画像の読取開始指示を待つことなく、前記カラーラインセンサによる原稿画像の読み取り準備を開始し、前記予測手段が白黒読取モードと予測した場合は、前記原稿画像の読取開始指示を待つことなく、前記白黒ラインセンサによる原稿画像の読み取り準備を開始する読取準備手段とを有することを特徴とする。
【手続補正６】
【補正対象書類名】明細書
【補正対象項目名】００１１
【補正方法】変更
【補正の内容】
【００１１】
また、本発明の画像読取装置は、カラーラインセンサと白黒ラインセンサとを備え、前記カラーラインセンサによる原稿画像の読み取りと前記白黒ラインセンサによる原稿画像の読み取りとで異なるパラメータに基づいて原稿画像を読み取る画像読取装置であって、前記画像読取装置の動作ジョブがコピージョブであって且つ前記画像読取装置に接続された画像形成装置が白黒用画像形成装置である場合、前記原稿画像の読取開始指示を待つことなく前記白黒ラインセンサの読み取り準備を開始し、前記画像読取装置の動作ジョブがコピージョブであって且つ前記画像読取装置に接続された画像形成装置がカラー用画像形成装置である場合、前記原稿画像の読取開始指示を待つことなく前記カラーラインセンサの読み取り準備を開始するよう、デフォルト設定された読取準備手段を有することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
以上、本発明によれば、カラーラインセンサと白黒ラインセンサとを備え、異なるパラメータに基づいて原稿画像を読み取る場合に、コピー開始を指示してから１枚目の出力までの時間を短縮した画像読取装置を提供できる。
【手続補正１０】
【補正対象書類名】明細書
【補正対象項目名】００７７
【補正方法】変更
【補正の内容】
【００７７】
こうした(1)〜(4)で使用される場合に、画像読取用色モード指定をどのようなタイミングで実施するかについてであるが、(1)〜(4)でユーザが複写機を使用する際に共通して必ず実行する作業のタイミングがある。すなわち、画像読取ジョブが開始される直前で、(1)〜(4)の各処理モードに対する各種詳細設定するための図２Ａに図示される操作部４０５からキー入力操作するタイミングである。
【手続補正１１】
【補正対象書類名】図面
【補正対象項目名】図６
【補正方法】変更
【補正の内容】
【図６】
2010130111.tif 000027